(57)【要約】      （修正有）【課題】記憶装置を挿入することで、画像データを容易に送信先に送信可能な情報処理装置、その制御方法及びプログラムを提供することができる。【解決手段】ＵＲＬ情報を記憶し、静止画データおよび動画データを含む画像データを記憶する記憶装置が挿入されたか否かを判定し、前記記憶装置に記憶された前記画像データを、送信先に送信する機能と通信データの中継を行う機能を備え、当該送信機能は、前記判定で記憶装置が挿入されたと判定した場合に、前記画像データを前記記憶手段に記憶されたＵＲＬ情報の示す送信先に送信すべく制御し、中継機能は、記憶装置が挿入されていないと判定した場合に、他の通信装置から受け付けた通信データに含まれるＵＲＬ情報の示す接続先に前記通信データを中継する。【選択図】図４ａ
2014130534.tif 000002
【特許請求の範囲】
【請求項１】
ＵＲＬ情報を記憶する記憶手段を備える情報処理端末であって、
静止画データおよび動画データを含む画像データを記憶する記憶装置が挿入されたか否かを判定する判定手段と、
前記記憶装置に記憶された前記画像データを、送信先に送信すべく制御する送信制御手段と、
通信データの中継を行うべく制御する中継制御手段と、
を備え、
前記送信制御手段は、前記判定手段で前記記憶装置が挿入されたと判定した場合に、前記画像データを前記記憶手段に記憶されたＵＲＬ情報の示す送信先に送信すべく制御し、
前記中継制御手段は、前記判定手段で前記記憶装置が挿入されていないと判定した場合に、他の通信装置から受け付けた前記通信データに含まれるＵＲＬ情報の示す接続先に前記通信データを中継すべく制御することを特徴とする情報処理端末。
【請求項２】
前記記憶装置が挿入されている状態で、他の通信装置から前記通信データを受け付けることにより、前記ＵＲＬ情報が指定されたか否かを判定する接続先指定判定手段と、
を備え、
前記中継制御手段は、前記接続先指定判定手段で、前記他の通信装置からＵＲＬ情報が指定されたと判定した場合に、前記ＵＲＬ情報が示す接続先に接続すべく、データの中継を行うことを特徴とする請求項１に記載の情報処理端末。
【請求項３】
前記判定手段で、前記他の通信装置からＵＲＬ情報が指定され、当該ＵＲＬ情報が示す接続先に接続している状態で、前記記憶装置が挿入されたと判定した場合に、前記接続先との接続を切断する切断手段と、
を備え、
前記送信制御手段は、前記切断手段で前記接続先への接続が切断された後に、前記記憶手段に記憶されたＵＲＬ情報の示す送信先に、前記画像データを送信することを特徴とする請求項１又は２に記載の情報処理端末。
【請求項４】
画像データの記憶されている格納場所を記憶する画像管理サーバと通信可能に接続され、
前記記憶装置から取得した画像データのリストを、前記画像データを前記記憶手段に記憶されたＵＲＬ情報の示す前記画像管理サーバに送信するリスト送信制御手段と、
前記リスト送信制御手段により画像データのリストを送信することにより、前記画像管理サーバに記憶されていない画像データのリストを取得する差分データリスト取得手段と、
を備え、
前記送信制御手段は、前記差分データリスト取得手段で取得した差分データリストに従って、前記画像管理サーバに記憶されていない前記画像データを、前記画像管理サーバに送信することを特徴とする請求項１乃至３のいずれか１項に記載の情報処理端末。
【請求項５】
前記差分データリスト取得手段で取得した前記差分データリストの示す画像データのサムネイル画像データを生成するサムネイル画像データ生成手段と、
を備え、
前記送信制御手段は、前記サムネイル画像データ生成手段で生成したサムネイル画像データを、前記画像データを前記記憶手段に記憶されたＵＲＬ情報の示す送信先に送信することを特徴とする請求項４に記載の情報処理端末。
【請求項６】
前記送信制御手段は、前記差分データリスト取得手段で取得した前記差分データリストの示すオリジナル画像データを、前記画像データを前記記憶手段に記憶されたＵＲＬ情報の示す送信先に送信することを特徴とする請求項４に記載の情報処理端末。
【請求項７】
ＵＲＬ情報を記憶する記憶手段を備える情報処理端末の制御方法であって、
判定手段が、静止画データおよび動画データを含む画像データを記憶する記憶装置が挿入されたか否かを判定する判定工程と、
送信制御手段が、前記記憶装置に記憶された前記画像データを、送信先に送信すべく制御する送信制御工程と、
中継制御手段が、通信データの中継を行うべく制御する中継制御工程と、
を備え、
前記送信制御工程は、前記判定工程で前記記憶装置が挿入されたと判定した場合に、前記画像データを前記記憶手段に記憶されたＵＲＬ情報の示す送信先に送信すべく制御し、
前記中継制御工程は、前記判定工程で前記記憶装置が挿入されていないと判定した場合に、他の通信装置から受け付けた前記通信データに含まれるＵＲＬ情報の示す接続先に前記通信データを中継すべく制御することを特徴とする情報処理端末の制御方法。
【請求項８】
ＵＲＬ情報を記憶する記憶手段を備える情報処理端末で実行が可能なプログラムであって、
前記情報処理端末を、
静止画データおよび動画データを含む画像データを記憶する記憶装置が挿入されたか否かを判定する判定手段と、
前記記憶装置に記憶された前記画像データを、送信先に送信すべく制御する送信制御手段と、
通信データの中継を行うべく制御する中継制御手段として機能させ、
前記送信制御手段は、前記判定手段で前記記憶装置が挿入されたと判定した場合に、前記画像データを前記記憶手段に記憶されたＵＲＬ情報の示す送信先に送信すべく制御し、
前記中継制御手段は、前記判定手段で前記記憶装置が挿入されていないと判定した場合に、他の通信装置から受け付けた前記通信データに含まれるＵＲＬ情報の示す接続先に前記通信データを中継すべく制御することを特徴とする情報処理端末のプログラム。
【発明の詳細な説明】
【技術分野】
【０００１】
本発明は、情報処理端末、その制御方法及びプログラムに関する。
【背景技術】
【０００２】
近年、デジタルカメラやスマートフォン、データ通信の速度を確保するための携帯型の無線ルータが広く普及している。また、デジタルカメラやスマートフォンで撮影した写真をＳＤメモリカード等の記憶装置に保存するだけでなく、当該ＳＤメモリカード等の記憶装置に保存された写真をオンライン上で保存する機会が増加している。
【０００３】
ただし、通信機能を持つ端末に挿入することができないＳＤメモリカード等に保存された写真をオンライン上で保存するためには、ＰＣ等に当該ＳＤメモリカード等を挿入した上で、さらに手動で転送する写真と転送先を選択しなければならず、ユーザの手間がかかってしまうという問題がある。
【０００４】
前記問題の解決方法として、特許文献１には、表示装置に表示された二次元バーコードを撮像装置で撮影することにより画像データのアップロード先を取得し、当該アップロード先に画像データをアップロードする技術が公開されている。
【先行技術文献】
【特許文献】
【０００５】
【特許文献１】特開２００９−２８２７３４号公報
【発明の概要】
【発明が解決しようとする課題】
【０００６】
しかしながら、先行文献１に記載の技術では、通信機能を持たないデジタルカメラ等を用いて画像データをアップロードする場合、ＰＣ等の別装置にデジタルカメラを接続する必要があるという問題がある。
【０００７】
そこで本発明は、記憶装置を挿入することで、画像データを容易に送信先に送信可能な情報処理装置、その制御方法、及びプログラムを提供することを目的とする。
【課題を解決するための手段】
【０００８】
本発明の情報処理端末は、ＵＲＬ情報を記憶する記憶手段を備える情報処理端末であって、静止画データおよび動画データを含む画像データを記憶する記憶装置が挿入されたか否かを判定する判定手段と、前記記憶装置に記憶された前記画像データを、送信先に送信すべく制御する送信制御手段と、通信データの中継を行うべく制御する中継制御手段と、を備え、前記送信制御手段は、前記判定手段で前記記憶装置が挿入されたと判定した場合に、前記画像データを前記記憶手段に記憶されたＵＲＬ情報の示す送信先に送信すべく制御し、前記中継制御手段は、前記判定手段で前記記憶装置が挿入されていないと判定した場合に、他の通信装置から受け付けた前記通信データに含まれるＵＲＬ情報の示す接続先に前記通信データを中継すべく制御することを特徴とする。
【発明の効果】
【０００９】
本発明によれば、記憶装置を挿入することで、画像データを容易に送信先に送信可能な情報処理装置、その制御方法及びプログラムを提供することが出来る。
【図面の簡単な説明】
【００１０】
【図１】本発明の実施形態における、画像転送端末を含むシステム構成の一例を示す図である。
【図２】本発明の実施形態における、画像転送端末のハードウェア構成の一例を示す図である。
【図３】本発明の実施形態における、各種装置の機能構成の一例を示す図である。
【図４ａ】本発明の実施形態における、画像転送端末の処理の流れを示すフローチャートである。
【図４ｂ】本発明の実施形態における、画像転送端末と画像管理サーバの処理の流れを示すフローチャートである。
【図５ａ】本発明の実施形態における、中継サーバを介した、画像管理サーバへの接続処理の流れを示すフローチャートである。
【図５ｂ】本発明の実施形態における、中継サーバを介した、画像管理サーバへの接続処理の流れを示すフローチャートである。
【図６】本発明の実施形態における、中継サーバを介さない、画像管理サーバへの接続処理の流れを示すフローチャートである。
【図７】本発明の実施形態における、画像転送端末が保有する画像データリスト情報のデータテーブル、画像管理サーバが保有する画像データリスト情報のデータテーブル、画像転送端末および画像管理サーバが保有する差分データリストの構成の一例を示す図である。
【図８】本発明の実施形態における、画像転送端末が保有する接続先情報のデータテーブルの構成の一例を示す図である。
【図９】本発明の実施形態における、中継サーバおよび画像管理サーバが保有する端末情報並びに画像管理サーバが保有するユーザ情報のデータテーブルの構成の一例を示す図である。
【発明を実施するための形態】
【００１１】
以下、図面を参照して、本発明の実施形態を詳細に説明する。
【００１２】
まず図１を参照して、本発明の実施形態における画像転送端末を含むシステムの構成の一例について説明する。図１は、本発明の画像転送端末を含むシステムの構成の一例を示す図である。
【００１３】
尚、当該システム構成図に示す各種装置（画像転送端末１００、画像管理サーバ２００、中継サーバ３００、外部サーバ４００）は、ネットワーク（ＷＡＮ）を介して通信可能に接続されているものとする。
【００１４】
記憶装置５０は、画像データを記憶する記憶媒体である。例えば、ＳＤメモリカードのようなデータ記憶装置である。
【００１５】
本発明の画像転送端末１００（請求項中の情報処理端末に該当）は、例えば、ＳＤメモリカード等の記憶装置５０を接続可能な画像転送端末である。記憶装置５０が挿入された場合、当該記憶装置５０からオリジナル画像データを取得し、当該取得したオリジナル画像データ（静止画データおよび動画データを含む）のオリジナル画像データリストおよびサムネイル画像データを生成して、画像管理サーバ２００に送信する。
【００１６】
前記オリジナル画像データリストは、図７に示すオリジナル画像データリスト７００である。オリジナル画像データリスト７００は、画像管理サーバ２００が保有（外部メモリに記憶）するオリジナル画像データのリストであるサーバ内オリジナル画像データリスト７１０と照合して、画像管理サーバ２００が保有していないオリジナル画像データを特定するために生成される。
【００１７】
前記保有していないオリジナル画像データのデータリストは図７に示す差分データリスト７２０であって、当該差分データリスト７２０は画像管理サーバ２００において生成される。当該差分データリスト７２０は、画像転送端末１００に送信され、画像転送端末１００のＣＰＵ２０１は、当該差分データリスト７２０に含まれるオリジナル画像データ（サムネイル画像データの生成元の画像データであり、撮像装置により撮像された画像データのオリジナルである画像データ）のサムネイル画像データを生成し、画像管理サーバ２００に送信する。
【００１８】
サムネイル画像データとは、サムネイル画像データの生成元であるオリジナル画像データをユーザに識別させるための、当該オリジナル画像データに対応する画像データである。前記サムネイル画像データは、後述するオリジナル画像データを一覧表示するにあたり縮小したものである。
【００１９】
オリジナル画像データとは、例えば、撮像装置で撮影された画像データのオリジナルである。なお、前記サムネイル画像データは、当該オリジナル画像データを撮像することにより生成した撮像装置によって、前記オリジナル画像データとは別のデータとして生成され、記憶装置５０に前記オリジナル画像データと対応付けて記憶されるものとする。
【００２０】
ここで、図７を参照して、本発明の実施形態における、オリジナル画像データリストの構成の一例について説明する。図７は、本発明の実施形態における、オリジナル画像データリストの構成の一例を示す図である。
【００２１】
オリジナル画像データリスト７００は、ユーザＩＤ７０１と格納媒体７０２とファイル名７０３等から構成されている。当該オリジナル画像データリスト７００は、画像転送端末１００に記憶されているオリジナル画像データのリストであって、画像管理サーバ２００に送信される。
【００２２】
ユーザＩＤ７０１は、オリジナル画像データがどのユーザに紐づくものかを特定するために用いられるユーザを識別するためのＩＤである。
【００２３】
格納媒体７０２は、オリジナル画像データがどの媒体に記憶されているかを特定するために用いられる、当該オリジナル画像データが記憶されている格納媒体を識別するための識別情報である。
【００２４】
ファイル名７０３は、オリジナル画像データを識別するためのファイル名称であって、当該オリジナル画像データが撮影された際に、当該オリジナル画像データを撮影した撮像装置によって付与されるオリジナル画像データの名称である。
【００２５】
サーバ内オリジナル画像データリスト７１０は、ユーザＩＤ７１１とオリジナルＩＤ７１２とサムネイルＩＤ７１３と格納媒体７１４とファイル名７１５等から構成される。ユーザＩＤ７１１は前記ユーザＩＤ７０１、格納媒体７１４と前記格納媒体７０２、ファイル名７１５と前記ファイル名７０３は同じものを指す。当該サーバ内オリジナル画像データリスト７１０は、画像管理サーバ２００の外部メモリに記憶されている画像データリストであり、前記オリジナル画像データリスト７００を集計したリストである。
【００２６】
なお、ここでは画像管理サーバ２００は、画像転送端末１００より、サムネイル画像データを受信するものとして説明したが、例えば、オリジナル画像データを、サムネイル画像データと共に受信するようにしてもよい。
【００２７】
この場合、オリジナルＩＤ７１２に示すように、オリジナル画像データに対し、オリジナル画像データを識別するためのＩＤを付与する。なお、当該オリジナル画像データは必ず前記サムネイル画像データとともに受信されるものとする。
【００２８】
サムネイルＩＤ７１３は、前記サムネイル画像データを画像管理サーバ２００が受信する際、または、後述する差分データリスト７２０の生成時に生成される。差分データリスト７２０の生成時に生成された場合、後にサムネイル画像データを受信した際に、当該サムネイル画像データに当該サムネイルＩＤ７１３が付与される。
【００２９】
差分データリスト７２０は、ユーザＩＤ７２１と格納媒体７２２とファイル名７２３等から構成されている。なお、ユーザＩＤ７２１と格納媒体７２２とファイル名７２３は、画像管理サーバ２００が受信したオリジナル画像データリストと画像管理サーバ２００が保有するサーバ内オリジナル画像データリスト７１０を照合し、前記オリジナル画像データリスト７００と前記サーバ内オリジナル画像データリスト７１０の差分をリストにしたものである。
【００３０】
つまり、当該差分データリスト７２０は、前記オリジナル画像データリスト７００に含まれていて、前記サーバ内オリジナル画像データリスト７１０に含まれていないオリジナル画像データのリストである。以上が図７の、オリジナル画像データリストの構成の一例の説明である。
【００３１】
図１の説明に戻る。画像管理サーバ２００は、画像転送端末１００からオリジナル画像データリスト７００を受信し、当該オリジナル画像データリスト７００と画像管理サーバ２００が保有（外部メモリに記憶）するサーバ内オリジナル画像データリスト７１０とを照合し、画像管理サーバ２００が保有していないオリジナル画像データリスト７００のみを画像転送端末１００へ送信する。ここでいう“保有”は、“自装置に接続された記憶装置（例えば外部メモリ）の記憶領域に記憶している”という意味である。
【００３２】
当該オリジナル画像データリスト７００を受信した画像転送端末１００は、画像管理サーバ２００より受信したオリジナル画像データリスト７００のオリジナル画像データのサムネイル画像データを生成し、当該サムネイル画像データを画像管理サーバ２００へ送信する。
【００３３】
画像管理サーバ２００は、当該サムネイル画像データを受信し、受信した当該サムネイル画像データを外部メモリなどの記憶領域に記憶・登録する。
【００３４】
また、画像転送端末１００は、記憶装置５０が挿入されていない場合には、携帯端末１５０からの接続要求を受け、中継サーバ３００を介して、画像管理サーバ２００、または外部サーバ４００に接続するルータとしての機能を有する。
【００３５】
携帯端末１５０は、ユーザからの操作指示を受け付け、当該操作指示に応じて、外部サーバ４００に接続すべく、当該外部サーバ４００のＵＲＬ情報を画像転送端末１００に送信する。
【００３６】
また、携帯端末１５０は、携帯端末１５０の外部メモリに記憶されているオリジナル画像データの格納場所（保存場所）を含むデータリストとサムネイル画像データを画像管理サーバ２００に送信するにあたり、画像管理サーバ２００に接続すべく、当該画像管理サーバ２００のＵＲＬ情報を画像転送端末１００に送信する端末である。
【００３７】
中継サーバ３００は、画像転送端末１００より、画像管理サーバ２００または外部サーバ４００に接続するための接続先情報（ＵＲＬ情報）を受信して、各装置に中継する中継機能を有する装置である。
【００３８】
例えば、携帯端末１５０から、ルータ機能を発揮した画像転送端末１００を介して中継サーバ３００に送信されるＵＲＬ情報は、携帯端末１５０の操作部でユーザから入力指示を受け付けたＵＲＬ情報である。また、例えば、画像転送端末１００が、中継サーバ３００に当該ＵＲＬ情報を送信する場合、送信されるＵＲＬ情報は、図８の図８の接続先マスタ８００に含まれる接続先ＵＲＬ情報８０４である。
【００３９】
ここで図８を参照して、接続先マスタの構成の一例について説明する。図８は、本発明の実施形態における接続先マスタの構成の一例を示す図である。
【００４０】
接続先マスタ８００は、端末ＩＤ８０１、プロバイダ名８０２、プロバイダＩＰ８０３、接続先ＵＲＬ情報８０４、ユーザＩＤ８０５，パスワード８０６等から構成される。当該接続先マスタ８００は、画像転送端末１００の外部メモリに予め記憶されているものとする。
【００４１】
端末ＩＤ８０１は、画像転送端末１００を一意に識別するための識別情報である。
【００４２】
プロバイダ名８０２は、画像転送端末１００が接続先ＵＲＬ情報に接続するために利用するインターネットプロバイダの名称である。携帯端末から接続要求を受けた場合には、当該携帯端末から受信した接続要求に含まれる通信データに含まれる接続先のプロバイダを用いるものとする。
【００４３】
プロバイダＩＰ８０３は、画像転送端末１００が接続先ＵＲＬ情報に接続するために利用するインターネットプロバイダのサーバ（例えば、中継サーバ３００）のＩＰアドレスである。
【００４４】
接続先ＵＲＬ情報８０４は、画像管理サーバ２００に接続するための、画像管理サーバ２００のＵＲＬ情報である。
【００４５】
ユーザＩＤ８０５は、画像管理サーバ２００に対する、ユーザのログインを行うために用いられるＩＤであって、ユーザを識別するためのＩＤである。
【００４６】
パスワード８０６は、画像管理サーバ２００に対する、ユーザのログインを行うために用いられるパスワードである。当該ユーザＩＤ、及びパスワードの情報は、予め、当該ユーザＩＤ８０５、パスワード８０６に記憶されているものとする。以上が図８の、接続先マスタの構成の一例の説明する
【００４７】
図１の説明に戻る。外部サーバ４００は、携帯端末１５０から画像転送端末１００、中継サーバ３００を介して接続される。当該外部サーバ４００は、例えば、インターネット上にてソーシャルネットワークサービスを提供いている装置である。以上が図１の、本発明の実施形態における、画像転送端末１００を含むシステムの構成の一例についての説明である。
【００４８】
次に図２を参照して、本発明の実施形態における、各種装置のハードウェア構成の一例について説明する。図２は、本発明の実施形態における、各種装置のハードウェア構成の一例を示す図である。
【００４９】
ＣＰＵ２０１は、システムバス２０４に接続される各デバイスやコントローラを統括的に制御する。
【００５０】
ＲＯＭ２０２は、オペレーティングシステムプログラム（以下、ＯＳ）や、画像管理サーバ２００のアプリケーション等が記憶されている。またＲＡＭ２０３は、ＣＰＵ２０１の主メモリ、アプリケーションのワークエリア等として機能する。
【００５１】
ＣＰＵ２０１は、処理の実行に際して必要なプログラム等をＲＡＭ２０３にロードして、プログラムを実行することで各種動作を実現するものである。
【００５２】
入力コントローラ２０５は、ＳＤメモリカード２０９が挿入されると、当該ＳＤメモリカード２０９に記憶されている画像を読み取る機能部である。またキーボード／タッチパネル２１０、不図示のマウス等のポインティングデバイスからの入力を制御する。タッチパネルは、携帯端末１５０が備えるものとする。
【００５３】
ビデオコントローラ２０６は、ＣＲＴディスプレイ／ＬＥＤライト２１１等の表示器への表示を制御する。表示器はＣＲＴディスプレイだけでなく、液晶ディスプレイでも構わない。また、ＣＲＴディスプレイ２１１は、画像転送端末１００、中継サーバ３００、画像管理サーバ２００、外部サーバ４００においては必ずしも必要ではない。
【００５４】
ＬＥＤライト２１１は、例えば、画像転送端末１００が備えており、ＳＤメモリカード２０９の挿入エラー、または通信先との通信の可否に応じて、点滅、点灯制御されるものである。
【００５５】
メモリコントローラ２０７は、ブートプログラム、プラウザソフトウェア、各種アプリケーション、フォントデータ、ユーザファイル、編集ファイル、各種データ等を記憶するハードディスク（ＨＤ）やフロッピー（登録商標）ディスク（ＦＤ）或いはＰＣＭＣＩＡカードスロットにアダプタを介して接続されるコンパクトフラッシュ（登録商標）メモリ等の外部メモリ２１２への接続を制御する。
【００５６】
通信Ｉ／Ｆコントローラ２０８は、ネットワークを介して、外部機器と接続・通信するものであり、ネットワークでの通信制御処理を実行する。例えば、ＴＣＰ／ＩＰを用いたインターネット通信等が可能である。
【００５７】
なお、ＣＰＵ２０１は、例えばＲＡＭ２０３内の表示情報用領域へアウトラインフォントの展開（ラスタライズ）処理を実行することにより、ＣＲＴディスプレイ２１１上での表示を可能としている。また、ＣＰＵ２０１は、ＣＲＴディスプレイ２１１上の不図示のマウスカーソル等でのユーザ指示を可能とする。
【００５８】
本発明を実現するためのプログラムは外部メモリ２１２に記録されており、必要に応じてＲＡＭ２０３にロードされることによりＣＰＵ２０１によって実行されるものである。さらに、本発明に係わるプログラムが用いる定義ファイル及び各種情報テーブルは外部メモリ２１２に格納されている。以上が図２の、本発明の実施形態における各種装置のハードウェア構成の一例についての説明である。
【００５９】
次に図３を参照して、本発明の実施形態における、各種装置の機能構成の一例について説明する。図３は、本発明の実施形態における、各種装置の機能構成の一例を示す図である。
【００６０】
図３に示すように、携帯端末１５０は、ＵＲＬ指定受付機能部３０１、ＵＲＬ情報送信部３０２等を備えている。
【００６１】
また、画像転送端末１００は、記憶装置挿入判定部３０３、データ中継制御部３０４、画像データ取得部３０５、画像データ送信制御部３０６、オリジナル画像データリスト送信制御部３０７、ログイン判定部３０８、接続先指定判定部３０９、等を備えている。
【００６２】
また、画像管理サーバ２００は、画像データ受信部３１０、オリジナル画像データリスト受信部３１１、画像データ記憶部３１２、認証部３１３等を備えている。
【００６３】
また、中継サーバ３００は、認証部３１４、接続先受信部３１５、接続要求送信部３１６等を備えている。
【００６４】
また、外部サーバ４００は、接続要求受信部３１７等を備えている。
【００６５】
ＵＲＬ指定受付機能部３０１は、ユーザからの接続先のＵＲＬ情報の入力（指定）を受け付ける機能部である。
【００６６】
ＵＲＬ情報送信部３０２は、前記ＵＲＬ指定受付機能部３０１で指定を受け付けたＵＲＬ情報の示す接続先に接続すべく、当該ＵＲＬ情報を画像転送端末１００に送信する機能部である。
【００６７】
記憶装置挿入判定部３０３は、画像転送端末１００に記憶装置５０（例えば、ＳＤメモリカード２０９）が挿入されたかどうかを判定する判定部である。
【００６８】
データ中継制御部３０４は、携帯端末１５０から送信されたＵＲＬ情報等を含む通信データを、中継サーバ３００に中継し、画像管理サーバ２００、外部サーバ４００に中継する制御部である。
【００６９】
画像データ取得部３０５は、記憶装置５０（例えば、ＳＤメモリカード２０９）から画像データを取得する取得部である。
【００７０】
画像データ送信制御部３０６は、前記取得した画像データの中継サーバ３００への送信を制御する制御部である。当該画像データは、中継サーバ３００を介して、前記ＵＲＬ情報に応じた送信先に送信される。
【００７１】
オリジナル画像データリスト送信制御部３０７は、前記画像データ取得部３０５で取得した画像データのオリジナル画像データリスト７００を生成し、中継サーバ３００に対する当該オリジナル画像データリスト７００の送信を制御する制御部である。
【００７２】
ログイン判定部３０８は、画像管理サーバ２００へのログインが成功したかどうかを判定する判定部である。
【００７３】
接続先指定判定部３０９は、携帯端末１５０等の外部装置から、接続先の指定（ＵＲＬ情報の受信）を受け付けたか否かを判定する機能部である。
【００７４】
画像データ受信部３１０は、画像転送端末１００より画像データ（サムネイル画像データ）を受信する受信部である。
【００７５】
オリジナル画像データリスト受信部３１１は、画像転送端末１００よりオリジナル画像データリスト７００を受信する受信部である。
【００７６】
画像データ記憶部３１２は、画像データ受信部３１０で受信したサムネイル画像データを記憶する記憶部である。認証部３１３は、画像転送端末１００から送信されたユーザＩＤ８０５，パスワード８０６により画像管理サーバ２００へのログイン（認証）を行う機能部である。
【００７７】
認証部３１４は、画像転送端末１００から送信された端末ＩＤ８０１等により中継サーバ３００へのログインを行うための認証を行う機能部である。例えば、当該端末ＩＤを用いて、中継サーバ３００が受信したＵＲＬ情報の送信元（端末）が、中継サーバ３００のプロバイダを使用可能な端末かを判定するものである。
【００７８】
接続先受信部３１５は、画像転送端末１００からＵＲＬ情報を受信する受信部である。
【００７９】
接続要求送信部３１６は、前記接続先受信部３１５で受信した接続先（ＵＲＬ情報の示す接続先）への接続要求を行う機能部である。
【００８０】
接続要求受信部３１７は、画像転送端末１００、中継サーバ３００を介して、携帯端末１５０等の外部装置からの通信データ（例えば接続要求）を受信する。以上が図３の、本発明の実施形態における、各種装置の機能構成の一例についての説明である。
【００８１】
次に、図４ａ、図４ｂを参照して、画像転送端末の基本的な処理の流れについて説明する。図４ａ、図４ｂは、本発明の実施形態における画像転送端末の基本的な処理の流れを示す図である。
【００８２】
画像転送端末１００のＣＰＵ２０１は、記憶装置５０（例えば、ＳＤメモリーカード２０９）が挿入されたか否かを判定する（ステップＳ４０１）。記憶装置５０が挿入されていないと判定した場合（ステップＳ４０１でＮＯ／例えば、ＳＤメモリカードが挿入されていない、又は、既に挿入されている状態の場合）、当該画像転送端末１００が、画像管理サーバ２００にログイン中（画像管理サーバ２００と通信中）か否かを判定する（ステップＳ４０７）。
【００８３】
ログイン中でないと判定した場合（ステップＳ４０７でＮＯ）、処理をステップＳ４１２に移行する。ログイン中であると判定した場合（Ｓ４０７でＹＥＳ）、画像転送端末１００のＣＰＵ２０１は、画像管理サーバ２００に対してログアウトの要求を送信する（ステップＳ４０８）。
【００８４】
画像管理サーバ２００のＣＰＵ２０１は、当該ログアウト要求を受け付け（ステップＳ４０９）、通信（セッション）を切断する（ステップＳ４１０）。画像転送端末１００のＣＰＵ２０１は、当該通信が切断されたことにより、画像管理サーバ２００と通信するために用いていた通信回線を用いた通信を切断して（ステップＳ４１１）、処理をステップＳ４１２に移行する。
【００８５】
画像転送端末１００のＣＰＵ２０１は、ステップＳ４１２において、画像転送端末１００のルータ機能をＯＮにし（ルータ機能を起動し）、携帯端末１５０からＵＲＬ情報を受信している場合には、通信回線を用いて当該ＵＲＬ情報の示す外部装置（例えば、外部サーバ４００）に接続する（ステップＳ４１３）。当該接続処理は、インターネット回線を通じてウェブ上にアドレスが公開されているサーバ（ウェブサーバ）と通信する一般的な技術を用いる者であるため、ここでは説明を割愛する。
【００８６】
前記ＵＲＬ情報を受信していない場合には、当該ＵＲＬ情報を受信するか、電源がオフにされる、又は、記憶装置５０（例えばＳＤメモリーカード）の挿入部に当該記憶装置５０が挿入されるまで、当該ルータの機能をＯＮにしたまま待機するものとする。
【００８７】
画像転送端末１００のＣＰＵ２０１は、画像転送端末１００の電源がＯＦＦになったか否かを判定する（ステップＳ４１４）。当該電源のＯＮ・ＯＦＦは、例えば、画像転送端末１００に設置された不図示の電源ボタンの押下指示を受け付けることにより切り替わる。電源がＯＦＦになったと判定した場合（ステップＳ４１４でＹＥＳ）、処理を終了する。
【００８８】
画像転送端末１００のＣＰＵ２０１は、電源がＯＦＦではないと判定した場合（ステップＳ４１４でＮＯ）、記憶装置５０が挿入されたか否かを判定する（ステップＳ４１５）。記憶装置５０が挿入されていないと判定した場合（ステップＳ４１５でＮＯ）、処理をステップＳ４１３の前に戻す。
【００８９】
画像転送端末１００のＣＰＵ２０１は、記憶装置５０が挿入されていると判定した場合（ステップＳ４１５でＹＥＳ）、ルータ機能をＯＦＦ（ルータ機能を終了）にする（ステップＳ４０２）。ステップＳ４１３において、当該ルータ機能を用いて外部装置（例えば、外部サーバ４００）との通信が行われている場合、当該通信を切断する。
【００９０】
当該ルータ機能をＯＦＦにした後、画像転送端末１００のＣＰＵ２０１は、画像管理サーバ２００に接続する接続処理を実行する（ステップＳ４０３）。当該接続処理の詳細については図６、及び図５ａ、図５ｂで説明する。
【００９１】
ここで図６を参照して、本発明の実施形態における、中継サーバを介さない、前記画像管理サーバ２００への接続処理の一例について説明する。図６は、本発明の実施形態における、中継サーバを介さない、画像管理サーバ２００への接続処理の一例を示す図である。
【００９２】
画像転送端末１００のＣＰＵ２０１は、接続要求を画像管理サーバ２００に送信する（ステップＳ６０１）。画像管理サーバ２００のＣＰＵ２０１は、前記接続要求を受け付け（ステップＳ６０２）、画像転送端末１００に対して、画像転送端末１００の端末ＩＤ８０１を要求する（ステップＳ６０３）。
【００９３】
画像転送端末１００のＣＰＵ２０１は、前記端末ＩＤ８０１要求を受け付け（ステップＳ６０４）、画像管理サーバ２００に対して、端末ＩＤ８０１を送信する（ステップＳ６０５）。画像管理サーバ２００のＣＰＵ２０１は、前記端末ＩＤ８０１を受信し（ステップＳ６０６）、画像管理サーバ２００の外部メモリに記憶される端末マスタ９００の端末ＩＤ９０１と照合を行い、当該端末ＩＤ８０１を用いた認証が完了したか否かを判定する（ステップＳ６０７）。
【００９４】
なお、端末マスタとは、図９の端末マスタ９００である。端末マスタ９００は、画像管理サーバ２００、中継サーバ３００の外部メモリに記憶されており、端末ＩＤ９０１を記憶している。端末マスタ９００は、各ユーザのユーザマスタと対応付けて記憶されている。
【００９５】
ユーザマスタとは、画像管理サーバ２００に記憶されるオリジナル画像データリストのユーザＩＤと同一のＩＤであって、ユーザを識別するための識別情報としてのＩＤ、及び、画像管理サーバ２００にログインするためのパスワードを記憶しているマスタである。例えば図９のユーザマスタ９１０である。
【００９６】
端末の認証処理が完了したと判定した場合（ステップＳ６０７でＹＥＳ）、画像管理サーバ２００への接続を成立させる（ステップＳ６０８）。以後ログアウトが実行されるまでの、各装置で実行される処理に用いられる各画像データリストは、当該端末マスタ９００の端末ＩＤ９０１に対応するユーザＩＤ９１１に対応したデータリストであるものとする。つまり、ユーザＩＤ９１１の値を、ユーザＩＤ７０１、ユーザＩＤ７１１、ユーザＩＤ７２１に有する各画像データリストを用いる。
【００９７】
画像管理サーバ２００のＣＰＵ２０１は、画像転送端末１００に対して、接続完了の通知および画像転送要求を送信する（ステップＳ６０９）。
【００９８】
画像転送端末１００のＣＰＵ２０１は、接続完了の通知および画像転送要求を受信する（ステップＳ６１０）と、接続完了の旨を、画像転送端末１００のＬＥＤライト２１１（ランプ）を点灯させることによりユーザに通知する（ステップＳ６１１）。
【００９９】
画像管理サーバ２００のＣＰＵ２０１は、ステップＳ６０７において、認証処理を正常に完了できないと判定した場合（ステップＳ６０７でＮＯ）、画像転送端末１００に対して、エラーコードを送信する（ステップＳ６１２）。認証処理を正常に完了できない場合とは、例えば、ステップＳ６０６で受信した端末ＩＤ８０１が画像管理サーバ２００の外部メモリに記憶された端末マスタ９００に含まれていない場合等である。
【０１００】
画像転送端末１００のＣＰＵ２０１は、前記エラーコードを受信し（ステップＳ６１３）、認証エラーの旨を画像転送端末１００のＬＥＤライト２１１（ランプ）を、例えば点滅させることでユーザに通知する（ステップＳ６１４）。以上が図６の、本発明の実施形態における、前記画像管理サーバ２００への接続処理の一例について説明である。
【０１０１】
図４ａの説明に戻る。画像転送端末１００のＣＰＵ２０１は、ステップＳ４０３で画像管理サーバ２００への接続が完了したか否かを判定する（ステップＳ４０４）。接続が完了したと判定した場合（ステップＳ４０４でＹＥＳ）、記憶装置５０内の画像データを読み込む（ステップＳ４０５）。つまり、記憶装置５０内の画像データ、及び、当該画像データの名称、当該記憶装置５０の識別情報（図７の格納媒体７０２）を取得する。
【０１０２】
画像転送端末１００のＣＰＵ２０１は、前記読み込んだ画像データのリスト（図７のオリジナル画像データリスト７００）を作成する（ステップＳ４０６）。そして処理を図４ｂのステップＳ４１６に移行する。
【０１０３】
画像管理サーバ２００への接続が完了しなかった場合（ステップＳ４０４でＮＯ）、処理を終了する。
【０１０４】
画像転送端末１００のＣＰＵ２０１は、画像管理サーバ２００に対して、図４ｂのステップＳ４０６で作成したオリジナル画像データリスト（図７のオリジナル画像データリスト７００）を送信する（ステップＳ４１６）。画像管理サーバ２００のＣＰＵ２０１は、当該オリジナル画像データリスト７００を受信する（ステップＳ４１７）。
【０１０５】
画像管理サーバ２００のＣＰＵ２０１は、画像管理サーバ２００が保有する画像データのリスト情報（図７のサーバ内オリジナル画像データリスト７１０）と当該サーバ内オリジナル画像データリスト７１０を照合し、画像データの差分データのリスト情報（図７の差分データリスト７２０）を作成し（請求項中の差分データリスト取得手段に該当）（ステップＳ４１８）、画像転送端末１００に対して、前記差分データリスト７２０を送信する（ステップＳ４１９）。
【０１０６】
画像転送端末１００のＣＰＵ２０１は、前記差分データリスト７２０を受信する（ステップＳ４２０）。
【０１０７】
画像転送端末１００のＣＰＵ２０１は、前記差分データリスト７２０のファイル名７２３を有する画像データ（オリジナル画像データ）のサムネイル画像データを作成し（請求項中のサムネイル画像データ生成手段に該当）（ステップＳ４２１）、画像管理サーバ２００に対して、当該サムネイル画像データを送信する（ステップＳ４２２）。
【０１０８】
画像管理サーバ２００のＣＰＵ２０１は、前記サムネイル画像データを受信し（ステップＳ４２３）、受信した当該サムネイル画像データを外部メモリ２１２などの記憶領域に記憶・登録する。尚、サムネイル画像データを受信した際に、当該サムネイル画像データのＩＤであるサムネイルＩＤ７１３、及び、当該サムネイル画像データに対応するオリジナル画像データのＩＤであるオリジナルＩＤ７１２を発行するものとする。
【０１０９】
画像管理サーバ２００のＣＰＵ２０１は、サーバ内オリジナル画像データリスト７１０を更新し（ステップＳ４２５）、画像転送端末１００に対して、画像データ登録完了通知を送信する（ステップＳ４２６）。
【０１１０】
つまり、ステップＳ４１７で受信したオリジナル画像データリスト７００のユーザＩＤ７０１、格納媒体７０２、ファイル名７０３の値を、ユーザＩＤ７１１、格納媒体７１４、ファイル名７１５に有し、受信したサムネイル画像データに対して付与するサムネイルＩＤをサムネイルＩＤ７１３に有するデータを、受信したサムネイル画像データの数だけ、サーバ内オリジナル画像データリスト７１０に追加する。
【０１１１】
画像転送端末１００のＣＰＵ２０１は、前記画像データ登録完了通知を受信し（ステップＳ４２７）、サーバ内オリジナル画像データリスト７１０に画像データの情報が登録された旨を、画像転送端末１００のＬＥＤライト２１１（ランプ）の色を変更して点灯させることによりユーザに通知する（ステップＳ４２８）。
【０１１２】
画像転送端末１００のＣＰＵ２０１は、画像転送端末１００の電源がＯＦＦか否かを判定する（ステップＳ４２９）。電源がＯＦＦになっていると判定した場合（ステップＳ４２９でＹＥＳ）、処理を終了する。
【０１１３】
画像転送端末１００のＣＰＵ２０１は、電源がＯＦＦになっていないと判定した場合（ステップＳ４２９でＮＯ）、携帯端末１５０からＵＲＬ情報を受信しているか否かを判定する（ステップＳ４３０）。
【０１１４】
つまり、当該画像転送端末１００がルータとして機能し、外部サーバ４００に接続すべく、当該ＵＲＬ情報を、携帯端末１５０から受信したかを判定する。受信していると判定した場合（ステップＳ４３０でＹＥＳ）、図４ａのステップＳ４０１の前に処理を戻す。
【０１１５】
画像転送端末１００のＣＰＵ２０１が、当該ＵＲＬ情報を受信していないと判定した場合（ステップＳ４３０でＮＯ）、処理を終了する。以上が図４ａ、図４ｂの、本発明の実施形態における、画像転送端末と画像管理サーバ間の画像データの基本的な処理の流れについての説明である。
【０１１６】
次に図５ａ、図５ｂを参照して、中継サーバを介した、画像管理サーバへの接続処理の流れの一例を説明する、図５ａ、図５ｂは、本発明の実施形態における、中継サーバを介した、画像管理サーバへの接続処理の流れの一例を示す図である。
【０１１７】
画像転送端末１００のＣＰＵ２０１は、中継サーバ３００に対して、接続の要求を行う（ステップＳ５０１）。
【０１１８】
中継サーバ３００のＣＰＵ２０１は、前記接続要求を受け付け（ステップＳ５０２）、画像転送端末１００に対して、端末ＩＤの要求を行う（ステップＳ５０３）。
【０１１９】
画像転送端末１００のＣＰＵ２０１は、前記端末ＩＤの要求を受け付け（ステップＳ５０４）、中継サーバ３００に対して、端末ＩＤ８０１を送信する（ステップＳ５０５）。
【０１２０】
中継サーバ３００のＣＰＵ２０１は、前記端末ＩＤ８０１を受信し（ステップＳ５０６）、中継サーバ３００の外部メモリに記憶された端末マスタ（図９の端末マスタ９００）と照合し、当該端末ＩＤ８０１を用いた認証が完了したか否かを判定する（ステップＳ５０７）。
【０１２１】
中継サーバ３００のＣＰＵ２０１は、ステップＳ５０７において、認証処理を正常に完了できないと判定した場合（ステップＳ５０７でＮＯ）、画像転送端末１００に対して、エラーコードを送信する（ステップＳ５１２）。認証処理を正常に完了できない場合とは、例えば、ステップＳ５０６で受信した端末ＩＤ８０１が中継サーバ３００の外部メモリに記憶された端末マスタ（図９の端末マスタ９００）に含まれていない場合等である。
【０１２２】
画像転送端末１００のＣＰＵ２０１は、前記エラーコードを受信し（ステップＳ５１３）、認証エラーの旨を画像転送端末１００のＬＥＤライト２１１（ランプ）を点滅させることでユーザに通知して（ステップＳ５１４）処理を終了する。
【０１２３】
中継サーバ３００のＣＰＵ２０１は、ステップＳ５０７において、認証処理が完了した場合（ステップＳ５０７でＹＥＳ）、画像転送端末１００に対して、接続先（ＵＲＬ情報）の要求を行う（ステップＳ５０８）。
【０１２４】
画像転送端末１００のＣＰＵ２０１は、前記接続要求を受け付けると（ステップＳ５０９）、中継サーバ３００に対してＵＲＬ情報を送信する（ステップＳ５１０）。
【０１２５】
中継サーバ３００のＣＰＵ２０１は、前記ＵＲＬ情報を受け付け（ステップＳ５１１）、当該ＵＲＬ情報が示すサーバに対して接続要求を行う（ステップＳ５１５）。たとえば、ＵＲＬ情報が示すサーバを画像管理サーバ２００とした場合、中継サーバ３００のＣＰＵ２０１は、画像管理サーバ２００に対して、接続要求を行う。
【０１２６】
画像管理サーバ２００のＣＰＵ２０１は、前記接続要求を受け付けると（ステップＳ５１６）、中継サーバ３００に対して、ユーザＩＤ・パスワードの要求を行う（ステップＳ５１７）。
【０１２７】
中継サーバ３００のＣＰＵ２０１は、ユーザＩＤ・パスワードの要求を受け付けると（ステップＳ５１８）、画像転送端末１００に対して、ユーザＩＤ・パスワードの要求を行う（ステップＳ５１９）。
【０１２８】
画像転送端末１００のＣＰＵ２０１は、ユーザＩＤ・パスワードの要求を受け付けると（ステップＳ５２０）、中継サーバ３００に対して、ユーザＩＤ８０５・パスワード８０６を送信する（ステップＳ５２１）。
【０１２９】
中継サーバ３００のＣＰＵ２０１は、ユーザＩＤ８０５・パスワード８０６を受信すると（ステップＳ５２２）、画像管理サーバ２００に対して、当該ユーザＩＤ８０５・パスワード８０６を送信する（ステップＳ５２３）。
【０１３０】
画像管理サーバ２００のＣＰＵ２０１は、ユーザＩＤ８０５・パスワード８０６を受信すると（ステップＳ５２４）、当該ユーザＩＤ８０５・パスワード８０６を用いて画像転送端末１００の認証（画像転送端末１００のユーザの認証）を行う（ステップＳ５２５）。
【０１３１】
画像管理サーバ２００のＣＰＵ２０１は、画像管理サーバ２００の外部メモリに記憶されたユーザマスタ９１０と照合し、認証処理が完了したと判定した場合（ステップＳ５２５でＹＥＳ）、画像転送端末１００に対して画像転送要求を行い（ステップＳ５２６）、画像転送端末１００のＣＰＵ２０１は、前記画像転送要求を受け付ける（ステップＳ５２７）。当該画像転送要求の受付をもって、画像管理サーバ２００への接続が完了するものとする。
【０１３２】
なお、ユーザマスタとは、図９のユーザマスタ９１０である。ユーザマスタ９１０は、画像管理サーバ２００、中継サーバ３００の外部メモリに記憶されており、ユーザＩＤ９１１、パスワード９１２を記憶している。
【０１３３】
画像管理サーバ２００のＣＰＵ２０１は、認証処理を正常に完了できないと判定した場合（ステップＳ５２５でＮＯ）、中継サーバ３００に対して、エラーコードを送信する（ステップＳ５２８）。認証処理を正常に完了できない場合とは、例えば、ステップＳ５２４で受信したユーザＩＤ８０５・パスワード８０６が画像管理サーバ２００の外部メモリに記憶されたユーザマスタ９１０に含まれていない場合等である。
【０１３４】
中継サーバ３００のＣＰＵ２０１は、前記エラーコードを受信し（ステップＳ５２９）、画像転送端末１００に対して、当該エラーコードを送信する（ステップＳ５３０）。
【０１３５】
画像転送端末１００のＣＰＵ２０１は、前記エラーコードを受信し（ステップＳ５３１）、認証エラーの旨を画像転送端末１００のＬＥＤライト２１１（ランプ）を点滅させることでユーザに通知する（ステップＳ５３２）。以上が図５ａ、図５ｂの、本発明の実施形態における、中継サーバを介した、画像管理サーバへの接続処理の流れの一例についての説明である。
【０１３６】
以上説明した通り、本発明によれば、記憶装置を挿入することで、画像データを容易に送信先に送信可能な情報処理装置、その制御方法、及びプログラムを提供することができる。
【０１３７】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１３８】
前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１３９】
この場合、記録媒体から読み出されたプログラム自体が本発明の新規な機能を実現することになり、そのプログラムを記憶した記録媒体は本発明を構成することになる。
【０１４０】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０１４１】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１４２】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１４３】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０１４４】
５０    記憶装置
１００  画像転送端末
１５０  携帯端末
２００  画像管理サーバ
３００  中継サーバ
４００  外部サーバ
【図１】
2014130534.tif 000003
【図２】
2014130534.tif 000004
【図３】
2014130534.tif 000005
【図４ａ】
2014130534.tif 000006
【図４ｂ】
2014130534.tif 000007
【図５ａ】
2014130534.tif 000008
【図５ｂ】
2014130534.tif 000009
【図６】
2014130534.tif 000010
【図７】
2014130534.tif 000011
【図８】
2014130534.tif 000012
【図９】
2014130534.tif 000013